(57)【特許請求の範囲】
【請求項１】
電力系統に接続される保護継電装置に適用され、前記保護継電装置の整定値を設定する整定値設定装置であって、
表示器に表示させる複数のリレー要素の特性を指定するリレー要素指定部と、
所定の整定値入力部からの整定値と、前記リレー要素指定部で指定されたリレー要素の特性と、に基づいて、整定値に連動するリレー要素の特性データを生成する特性データ生成部と、
前記特性データ生成部で生成されたリレー要素の特性データに基づいて、前記表示器に表示させる定限時特性および反限時特性に対応した第１の描画データを生成すると共に、所定の記憶部に記憶された被保護機器の特性データに基づいて、前記定限時特性および反限時特性が表示される画面と同一画面上に表示させる被保護機器特性および突入電流特性に対応した第２の描画データを生成する描画データ生成部と、
を備えたことを特徴とする整定値設定装置。
【請求項２】
前記特性データ生成部は、
前記表示器に表示されたリレー要素の特性曲線の移動操作に連動したリレー要素の特性データを生成することを特徴とする請求項１に記載の整定値設定装置。
【請求項３】
電力系統に接続され、所定の端末装置からの整定値を設定する整定値設定部を備えた保護継電装置であって、
前記端末装置は、
表示器に表示させる複数のリレー要素の特性を指定するリレー要素指定部と、
所定の整定値入力部からの整定値と、前記リレー要素指定部で指定されたリレー要素の特性と、に基づいて、整定値に連動するリレー要素の特性データを生成する特性データ生成部と、
前記特性データ生成部で生成されたリレー要素の特性データに基づいて、前記表示器に表示させる定限時特性および反限時特性に対応した第１の描画データを生成すると共に、所定の記憶部に記憶された被保護機器の特性データに基づいて、前記定限時特性および反限時特性が表示される画面と同一画面上に表示させる被保護機器特性および突入電流特性に対応した第２の描画データを生成する描画データ生成部と、
を備えたことを特徴とする保護継電装置。
【請求項４】
前記特性データ生成部は、
前記表示器に表示されたリレー要素の特性曲線の移動操作に連動したリレー要素の特性データを生成することを特徴とする請求項３に記載の保護継電装置。
【発明の詳細な説明】
【技術分野】
【０００１】
本発明は、整定値設定装置および保護継電装置に関するものである。
【背景技術】
【０００２】
電力系統の保護に使用される保護継電装置では、各リレー要素の調整パラメータを整定値として持っており、保護継電装置に通信ケーブルを介して接続されたパーソナルコンピュータ（ＰＣ）等によって、整定値の書き込みを行う。この整定値書き込みは、数値入力のみで行うため、操作する者がリレーに詳しくない場合、そのリレー要素がどのような働き（保護）をするのか分からず、また各リレー要素の特性も分からない。
【０００３】
例えば、下記特許文献１には、リレーに詳しくない操作者であっても、リレーの働きおよび特性がよく理解できるディジタルリレー整定値設定装置が開示されている。特許文献１に示される従来技術は、メニュー画面で参照したいリレー要素を選択し、ＨＥＬＰボタンを押すことで該リレーの特性図を表示する構成としている。
【先行技術文献】
【特許文献】
【０００４】
【特許文献１】特開平９−１６８２２５号公報（段落「０００４」、図２〜６）
【発明の概要】
【発明が解決しようとする課題】
【０００５】
しかしながら、上記特許文献１に示される従来技術は、現整定値や新整定値に連動してリレー特性が変化するわけではないため、誤書き込み等のヒューマンエラーを防止することができないという問題があった。
【０００６】
一方、変圧器保護継電装置や分路リアクトル保護継電装置等では、防爆や遮断器投入時のリレーの誤動作防止のために、被保護機器である変圧器・分路リアクトルのタンク強度限界特性や突入電流特性等も考慮しなければならない。しかしながら、上記特許文献１に示される従来技術では、リレーが考慮すべき被保護機器の特性（目標）が表示されないため、リレーに詳しくない操作者では整定の良否が判定できないという問題があった。
【０００７】
本発明は、上記に鑑みてなされたものであって、誤書き込み等のヒューマンエラーを防止でき、リレーに詳しくない操作者であっても整定の良否が判定可能な整定値設定装置および保護継電装置を得ることを目的とする。
【課題を解決するための手段】
【０００８】
上述した課題を解決し、目的を達成するために、本発明は、電力系統に接続される保護継電装置に適用され、前記保護継電装置の整定値を設定する整定値設定装置であって、所定の整定値入力部からの整定値と、リレー要素の特性と、に基づいて整定値に連動するリレー要素の特性データを生成する特性データ生成部と、前記リレー要素の特性データに基づいて、所定の表示器に対する第１の描画データを生成すると共に、所定の記憶部に記憶された被保護機器の特性データに基づいて、前記表示器に対する第２の描画データを生成する描画データ生成部と、を備えたことを特徴とする。
【発明の効果】
【０００９】
この発明によれば、整定値に連動したリレー要素特性と被保護機器の特性を重ねてグラフ描画する機能を設け、整定値入力により協調カーブが描けるようにしたので、誤書き込み等のヒューマンエラーを防止でき、リレーに詳しくない操作者であっても整定の良否が判定できるという効果を奏する。
【図面の簡単な説明】
【００１０】
【図１】図１は、本発明の実施の形態１にかかる整定値設定装置の構成を示す図である。
【図２】図２は、図１の整定値設定装置による表示例を示す図である。
【図３】図３は、本発明の実施の形態２にかかる整定値設定装置の構成を示す図である。
【図４】図４は、図３の整定値設定装置による表示例を示す図である。
【図５】図５は、本発明の実施の形態３にかかる整定値設定装置の構成を示す図である。
【図６】図６は、図５の整定値設定装置による表示例を示す図である。
【図７】図７は、本発明の実施の形態４にかかる保護継電装置および整定値設定装置の構成を示す図である。
【発明を実施するための形態】
【００１１】
以下に、本発明にかかる整定値設定装置および保護継電装置の実施の形態を図面に基づいて詳細に説明する。なお、この実施の形態によりこの発明が限定されるものではない。
【００１２】
実施の形態１．
図１は、本発明の実施の形態１にかかる整定値設定装置の構成を示す図であり、図２は、図１の整定値設定装置による表示例を示す図である。
【００１３】
図１において、整定値設定装置３０は、主たる構成として、整定値設定部３、新整定値出力部１５、特性データ生成部１６、および描画データ生成部１７を有して構成されている。保護継電装置１は、通信ケーブルを介して整定値設定装置３０と接続されており、保護継電装置１に対する整定値の設定は、整定値設定部３によって行われる。記憶部５には、被保護機器の特性データ（被保護機器の特性）６が記憶されていると共に、整定結果の整定値（新整定値）のデータである整定検討後データ７が記憶される。なお、整定値設定装置３０は、パーソナルコンピュータ（ＰＣ）で構成してもよく、記憶部５は、ＰＣ内蔵のハードディスクや外部記憶媒体でもよい。表示部８は、ＰＣ付属のモニターや外部モニターでもよい。
【００１４】
新整定値出力部１５は、整定値入力部４からの整定値を取り込み、整定結果である新整定値を、整定値設定部３および特性データ生成部１６に出力する。
【００１５】
特性データ生成部１６は、新整定値出力部１５からの新整定値と、保護継電装置１からのリレー特性関数（リレー要素の特性）９ｂとに基づいて、新整定値に連動するリレー要素の特性データ４０を生成する。また、特性データ生成部１６は、記憶部５に記憶された被保護機器の特性データ６を描画データ生成部１７に出力する。また、特性データ生成部１６は、保護継電装置１からの現整定値９ａに基づいて、整定値データ４１を生成すると共に、新整定値出力部１５からの新整定値に基づいて、新整定値データ４２を生成する。
【００１６】
描画データ生成部１７は、特性データ生成部１６からのリレー要素の特性データ４０に基づいて、第１の描画データ１１ａを生成すると共に、被保護機器の特性データ６に基づいて、第２の描画データ１１ｂを生成する。また、描画データ生成部１７は、整定値データ４１に基づいて、整定値表示データ４３を生成すると共に、新整定値データ４２に基づいて、新整定値表示データ４４を生成する。
【００１７】
表示器８には、描画データ生成部１７からの第１の描画データ１１ａに対応するリレー要素の特性グラフ（リレー要素の特性曲線）を表示される。また、表示器８は、描画データ生成部１７からの第２の描画データ１１ｂに対応する被保護機器の特性グラフを表示する。また、表示器８には、描画データ生成部１７からの整定値表示データ４３に対応する現整定値と、描画データ生成部１７からの新整定値表示データ４４に対応する新整定値と、を視覚化して表示される。
【００１８】
整定値設定部３は、新整定値出力部１５からの新整定値１０を保護継電装置１に設定する。
【００１９】
次に動作を説明する。まず、新整定値出力部１５は、整定値入力部４からの整定値を取り込み、整定値設定部３および特性データ生成部１６に新整定値を出力する。特性データ生成部１６は、新整定値出力部１５からの新整定値と、リレー特性関数（リレー要素の特性）９ｂとに基づいて、新整定値に連動するリレー要素の特性データ４０を生成する。また、特性データ生成部１６は、被保護機器の特性データ６を描画データ生成部１７に出力する。また、特性データ生成部１６は、現整定値９ａに基づいて整定値データ４１を生成すると共に、新整定値出力部１５からの新整定値に基づいて新整定値データ４２を生成する。描画データ生成部１７は、リレー要素の特性データ４０に基づいて第１の描画データ１１ａを生成すると共に、被保護機器の特性データ６に基づいて第２の描画データ１１ｂを生成する。また、描画データ生成部１７は、整定値データ４１に基づいて整定値表示データ４３を生成すると共に、新整定値データ４２に基づいて新整定値表示データ４４を生成する。
【００２０】
図２の上側には、整定項目と、現整定値入力欄と、新整定値入力欄２５、２６とが表示されている。整定項目には、一例として、電流タップ値およびタイムレバーが示されている。新整定値入力欄２５、２６には、これらの整定項目に対応する新整定値が表示され、現整定値入力欄には、これらの整定項目に対応する現整定値が表示される。
【００２１】
図２の下側には、被保護機器の特性グラフの一例として、タンク強度限界特性２１および突入電流特性２２が示されている。また、図２の下側には、リレー要素の特性グラフの一例として、過電流リレーの反限時特性５１Ｌが示されている。過電流リレーの反限時特性５１Ｌの一方は、現整定値のグラフ２４ａであり、他方は、新整定値のグラフ２３ａである。新整定値のグラフ２３ａは、新整定値入力欄２５、２６に表示された新整定値に連動して変化する。
【００２２】
このように、表示部８には、タンク強度限界特性２１および突入電流特性２２だけでなく、新整定値のグラフ２３ａが同一画面上に表示される。従って、操作者は、表示部８に表示されたタンク強度限界特性２１と突入電流特性２２との間に、新整定値のグラフ２３ａが収まるように整定検討を行うことができる。
【００２３】
被保護機器の特性データ６との協調確認をしながら整定検討が行われた後、整定値設定部３は、整定検討後の整定値を、新整定値１０として保護継電装置１に設定する。記憶部５には、複数の保護継電装置１に対する新整定値１０の書き込みを考慮して、新整定値１０が整定検討後データ７として保存される。
【００２４】
なお、新整定値の設定に関しては、例えば、タンク強度にマージンがある場合には突入電流を高く設定してもよいし、他の要因を考慮して現整定値よりもリレーを早く動作させる場合には突入電流を低く設定してもよい。また、図２において、整定値と被保護機器の特性データ６との間のマージンを考慮して、例えば、グラフ２３ａ、２４ａに所定の幅を持たせて、それぞれを帯状の線として表示してもよい。また、上記説明では、整定項目の一例として、電流タップ値およびタイムレバーを使用し、リレー特性関数９ｂの一例として、過電流リレーの反限時特性５１Ｌを使用したが、これに限定されるものではない。
【００２５】
以上に説明したように、本実施の形態にかかる整定値設定装置３０は、新整定値に連動するリレー要素の特性データ４０を生成すると共に、所定の記憶部に記憶された被保護機器の特性データ６を出力する特性データ生成部１６と、特性データ生成部１６からのリレー要素の特性データ４０に基づいて第１の描画データ１１ａを生成すると共に、被保護機器の特性データ６に基づいて第２の描画データ１１ｂを生成する描画データ生成部１７と、を有するようにしたので、新整定値に連動したリレー要素の特性グラフと被保護機器の特性グラフとを視覚化して表示部８上に表示することが可能である。その結果、新整定値に対応するリレー要素特性を確認した上で、その新整定値を保護継電装置１に書き込むことができるため、数値入力のみの場合に比べて、誤書き込み等のヒューマンエラーを防止することが可能である。また、リレーが考慮すべき被保護機器の特性（目標）も同一画面に表示されるため、リレーに詳しくない操作者であっても整定の良否が判定可能である。
【００２６】
実施の形態２．
図３は、本発明の実施の形態２にかかる整定値設定装置の構成を示す図であり、図４は、図３の整定値設定装置による表示例を示す図である。実施の形態１と異なる点は、リレー要素指定部１２を追加したことである。実施の形態１では、過電流リレーの反限時特性５１Ｌのみが表示器８に表示されていたが、実施の形態２は、リレー要素指定部１２を追加することで、新整定値に連動する複数のリレー要素を同一画面上に表示することが可能である。以下、実施の形態１と同一部分には同一符号を付してその説明を省略し、ここでは異なる部分についてのみ述べる。
【００２７】
図３において、整定値設定装置３０は、主たる構成として、整定値設定部３、新整定値出力部１５、特性データ生成部１６、描画データ生成部１７、およびリレー要素指定部１２を有して構成されている。ここで、複数のリレー特性関数９ｂ（リレー要素の特性）を指定して表示部８に表示させる場合を考える。
【００２８】
リレー要素指定部１２は、特性データ生成部１６に対して、表示器８に表示させるリレー要素を指定する。
【００２９】
特性データ生成部１６は、新整定値出力部１５からの新整定値と、リレー要素指定部１２で指定されたリレー特性関数（リレー要素の特性）９ｂとに基づいて、新整定値に連動するリレー要素の特性データ４０を生成する。
【００３０】
また、特性データ生成部１６は、記憶部５に記憶された被保護機器の特性データ６を描画データ生成部１７に出力する。また、特性データ生成部１６は、保護継電装置１からの現整定値９ａに基づいて、整定値データ４１を生成すると共に、新整定値出力部１５からの新整定値に基づいて、新整定値データ４２を生成する。
【００３１】
次に動作を説明する。まず、新整定値出力部１５は、整定値入力部４からの整定値を取り込み、整定値設定部３および特性データ生成部１６に新整定値を出力する。特性データ生成部１６は、新整定値出力部１５からの新整定値と、リレー要素指定部１２で指定されたリレー特性関数（リレー要素の特性）９ｂとに基づいて、新整定値に連動するリレー要素の特性データ４０を生成する。また、特性データ生成部１６は、被保護機器の特性データ６を描画データ生成部１７に出力する。また、特性データ生成部１６は、現整定値９ａに基づいて整定値データ４１を生成すると共に、新整定値出力部１５からの新整定値に基づいて新整定値データ４２を生成する。描画データ生成部１７は、リレー要素の特性データ４０に基づいて第１の描画データ１１ａを生成すると共に、被保護機器の特性データ６に基づいて第２の描画データ１１ｂを生成する。また、描画データ生成部１７は、整定値データ４１に基づいて整定値表示データ４３を生成すると共に、新整定値データ４２に基づいて新整定値表示データ４４を生成する。
【００３２】
図４の上側には、過電流リレーの定限時特性５１Ｈに対応した整定項目、現整定値入力欄、および新整定値入力欄２７と、過電流リレーの反限時特性５１Ｌに対応した整定項目、現整定値入力欄、および新整定値入力欄２５、２６とが表示される。過電流リレーの定限時特性５１Ｈの現整定値入力欄には、現整定値が表示され、新整定値入力欄２７には、新整定値が表示される。また、過電流リレーの反限時特性５１Ｌの現整定値入力欄には、現整定値が表示され、新整定値入力欄２５、２６には、新整定値が表示される。
【００３３】
図４の下側には、被保護機器の特性グラフの一例として、タンク強度限界特性２１および突入電流特性２２が示されている。また、図４の下側には、リレー要素の特性グラフの一例として、過電流リレーの反限時特性５１Ｌおよび過電流リレーの定限時特性５１Ｈが示されている。
【００３４】
過電流リレーの反限時特性５１Ｌの一方は、現整定値のグラフ２４ａであり、他方は、新整定値のグラフ２３ａである。新整定値のグラフ２３ａは、新整定値入力欄２５、２６に表示された新整定値に連動して変化する。また、過電流リレーの定限時特性５１Ｈの一方は、現整定値のグラフ２４ｂであり、他方は、新整定値のグラフ２３ｂである。新整定値のグラフ２３ｂは、新整定値入力欄２７に表示された新整定値に連動して変化する。
【００３５】
このように、表示部８には、タンク強度限界特性２１および突入電流特性２２だけでなく、保護継電装置１に設定されるべき新整定値のグラフ２３ａ、２３ｂが同一画面上に表示される。従って、操作者は、表示部８に表示されたタンク強度限界特性２１と突入電流特性２２との間に、新整定値のグラフ２３ａ、２３ｂが収まるように整定検討を行うことができる。
【００３６】
被保護機器の特性データ６との協調確認をしながら整定検討が行われた後、整定値設定部３は、整定検討後の整定値を、新整定値１０として保護継電装置１に設定する。記憶部５には、新整定値１０が整定検討後データ７として保存される。
【００３７】
以上に説明したように、本実施の形態にかかる整定値設定装置３０は、リレー特性関数９ｂの中から任意のリレー特性関数９ｂを指定するリレー要素指定部１２と、新整定値出力部１５からの新整定値とリレー要素指定部１２で指定されたリレー特性関数（リレー要素の特性）９ｂとに基づいて、新整定値に連動するリレー要素の特性データ４０を生成すると共に、所定の記憶部に記憶された被保護機器の特性データ６を出力する特性データ生成部１６と、特性データ生成部１６からのリレー要素の特性データ４０に基づいて第１の描画データ１１ａを生成すると共に、被保護機器の特性データ６に基づいて第２の描画データ１１ｂを生成する描画データ生成部１７と、を有するようにしたので、実施の形態１にかかる整定値設定装置３０の効果に加えて、複数のリレー要素を同一画面上に表示することが可能である。その結果、実施の形態１に比べて、より効率的に整定検討を行うことが可能となる。
【００３８】
実施の形態３．
図５は、本発明の実施の形態３にかかる整定値設定装置の構成を示す図であり、図６は、図５の整定値設定装置による表示例を示す図である。実施の形態１および２との違いは、マウス等のポインティングデバイスである整定値修正部１３を追加したことである。以下、実施の形態１および２と同一部分には同一符号を付してその説明を省略し、ここでは異なる部分についてのみ述べる。
【００３９】
図５に示される特性データ生成部１６は、新整定値出力部１５からの新整定値と、リレー要素指定部１２で指定されたリレー特性関数（リレー要素の特性）９ｂとに基づいて、整定値修正部１３の移動操作に連動するリレー要素の特性データ４０を生成する。
【００４０】
また、特性データ生成部１６は、記憶部５に記憶された被保護機器の特性データ６を描画データ生成部１７に出力する。また、特性データ生成部１６は、保護継電装置１からの現整定値９ａに基づいて、整定値データ４１を生成すると共に、新整定値出力部１５からの新整定値に基づいて、新整定値データ４２を生成する。
【００４１】
次に、図２の画面表示の状態で、例えば、新整定値のグラフ２３ａの移動操作が行われた場合の動作を説明する。まず、新整定値出力部１５は、整定値入力部４からの整定値を取り込み、整定値設定部３および特性データ生成部１６に新整定値を出力する。
【００４２】
特性データ生成部１６は、新整定値出力部１５からの新整定値と、リレー要素指定部１２で指定されたリレー特性関数（リレー要素の特性）９ｂとに基づいて、新整定値に連動するリレー要素の特性データ４０を生成する。
【００４３】
特性データ生成部１６は、移動操作量に応じて、新整定値出力部１５からの新整定値を変化させる。すなわち、特性データ生成部１６は、整定値修正部１３の移動操作に連動するリレー要素の特性データ４０を生成する。また、特性データ生成部１６は、被保護機器の特性データ６を描画データ生成部１７に出力する。また、特性データ生成部１６は、現整定値９ａに基づいて整定値データ４１を生成すると共に、新整定値出力部１５からの新整定値に基づいて新整定値データ４２を生成する。
【００４４】
描画データ生成部１７は、リレー要素の特性データ４０に基づいて第１の描画データ１１ａを生成すると共に、被保護機器の特性データ６に基づいて第２の描画データ１１ｂを生成する。また、描画データ生成部１７は、整定値データ４１に基づいて整定値表示データ４３を生成すると共に、新整定値データ４２に基づいて新整定値表示データ４４を生成する。
【００４５】
図６の上側には、図４と同様に、過電流リレーの定限時特性５１Ｈに対応した整定項目、現整定値入力欄、および新整定値入力欄２７と、過電流リレーの反限時特性５１Ｌに対応した整定項目、現整定値入力欄、および新整定値入力欄２５、２６とが表示される。上述したように、特性データ生成部１６は、移動操作に連動するリレー要素の特性データ４０を生成するため、新整定値入力欄２５、２６の新整定値は、このリレー要素の特性データ４０に応じて変化する。
【００４６】
また、図６の下側には、図４と同様に、タンク強度限界特性２１、突入電流特性２２、反限時特性５１Ｌ、および過電流リレーの定限時特性５１Ｈが示されている。過電流リレーの反限時特性５１Ｌの新整定値のグラフ２３ａは、新整定値入力欄２５、２６の新整定値と同様に、リレー要素の特性データ４０に応じて変化する。すなわち、新整定値のグラフ２３ａは、新整定値入力欄２５、２６の新整定値に連動する。
【００４７】
このように、表示部８には、タンク強度限界特性２１および突入電流特性２２だけでなく、新整定グラフ修正部１３の移動操作に連動する新整定値のグラフ２３ａが同一画面上に表示される。従って、操作者は、容易に新整定値を修正することが可能である。整定値設定部３は、修正された整定値を保護継電装置１に設定する。
【００４８】
なお、本実施の形態にかかる特性データ生成部１６は、リレー要素指定部１２で指定されたリレー特性関数９ｂを用いて、移動操作に連動するリレー要素の特性データ４０を生成しているが、リレー要素指定部１２が無くても、移動操作に連動するリレー要素の特性データ４０を生成することができる。
【００４９】
以上に説明したように、本実施の形態にかかる整定値設定装置３０は、新整定値とリレー特性関数（リレー要素の特性）９ｂとに基づいて、移動操作に連動するリレー要素の特性データ４０を生成すると共に、所定の記憶部に記憶された被保護機器の特性データ６を出力する特性データ生成部１６と、特性データ生成部１６からのリレー要素の特性データ４０に基づいて第１の描画データ１１ａを生成すると共に、被保護機器の特性データ６に基づいて第２の描画データ１１ｂを生成する描画データ生成部１７と、を有するようにしたので、実施の形態１および２にかかる整定値設定装置３０の効果に加えて、移動操作により新整定値を容易に修正することができる。その結果、実施の形態１および２に比べて、より効率的に整定検討を行うことが可能となる。
【００５０】
実施の形態４．
本発明の実施の形態４にかかる保護継電装置および整定値設定装置の構成を示す図である。実施の形態４は、整定値設定機能である整定値設定部３、新整定値出力部１５、特性データ生成部１６、および描画データ生成部１７をＪａｖａ（登録商標）アプレット等の形で保護継電装置１に格納しておき、Ｗｅｂブラウザ等を用いて第１の描画データ１１ａ、第２の描画データ１１ｂ、整定値表示データ４３、および新整定値表示データ４４を表示器８に表示するものである。以下、実施の形態１および２と同一部分には同一符号を付してその説明を省略し、ここでは異なる部分についてのみ述べる。
【００５１】
図７に示される整定値設定装置３０は、ＰＣなどの端末装置であり、Ｗｅｂブラウザを有している。図７に示される新整定値出力部１５、特性データ生成部１６、および描画データ生成部１７は、Ｊａｖａ（登録商標）アプレット等の形で保護継電装置１に格納されている整定値設定機能であり、Ｗｅｂブラウザで整定値設定装置３０に読込まれ実行される。
【００５２】
以下、動作を説明する。特性データ生成部１６は、保護継電装置１からリレー特性関数９ｂを読出し、リレー特性関数９ｂと、新整定値出力部１５からの新整定値とに基づいて、新整定値に連動するリレー要素の特性データ４０を生成する。また、特性データ生成部１６は、記憶部５に記憶された被保護機器の特性データ６を描画データ生成部１７に出力する。また、特性データ生成部１６は、保護継電装置１からの現整定値９ａに基づいて、整定値データ４１を生成すると共に、新整定値出力部１５からの新整定値に基づいて、新整定値データ４２を生成する。描画データ生成部１７は、リレー要素の特性データ４０に基づいて第１の描画データ１１ａを生成すると共に、被保護機器の特性データ６に基づいて第２の描画データ１１ｂを生成する。また、描画データ生成部１７は、整定値データ４１に基づいて整定値表示データ４３を生成すると共に、新整定値データ４２に基づいて新整定値表示データ４４を生成する。
【００５３】
表示器８には、例えば、図２の上側の図と同様に、過電流リレーの反限時特性５１Ｌに対応した整定項目、現整定値入力欄、および新整定値入力欄２５、２６とが表示される。また、表示器８には、例えば、図２の下側の図と同様に、タンク強度限界特性２１、突入電流特性２２、および過電流リレーの反限時特性５１Ｌが表示される。
【００５４】
なお、本実施の形態にかかる整定値設定装置３０は、新整定値出力部１５、特性データ生成部１６、および描画データ生成部１７のみ有する態様であるが、実施の形態２のリレー要素指定部１２と、実施の形態３の整定値修正部１３と、の何れかまたは両方を有するように構成してもよい。
【００５５】
以上に説明したように、本実施の形態にかかる保護継電装置１は、Ｊａｖａ（登録商標）アプレット等の形で新整定値出力部１５、特性データ生成部１６、および描画データ生成部１７を格納し、整定値設定装置３０のＷｅｂブラウザ等を用いて、新整定値出力部１５、特性データ生成部１６、および描画データ生成部１７を読出し、第１の描画データ１１ａ、第２の描画データ１１ｂ、整定値表示データ４３、および新整定値表示データ４４を表示器８に表示するようにしたので、実施の形態１〜３に比べて汎用性を高めることができ、より効率的に整定検討を行うことが可能となる。
【００５６】
なお、実施の形態１〜４では、整定値設定装置３０は、保護継電装置１からの現整定値９ａおよびリレー特性関数９ｂを用いているが、現整定値９ａおよびリレー特性関数９ｂを記憶部５に記憶させておき、記憶部５からの現整定値９ａおよびリレー特性関数９ｂを用いる態様であってもよい。この場合、整定値設定装置３０側で新整定値の机上検討を行うことが可能である。さらに、新整定値の机上検討後に、整定値設定装置３０に保護継電装置１を接続し、記憶部５に保存された整定検討後データ７を保護継電装置１へ書き込む構成としてもよい。
【産業上の利用可能性】
【００５７】
以上のように、本発明は、電力系統内に設置される保護継電装置に適用可能であり、特に、誤書き込み等のヒューマンエラーを防止でき、リレーに詳しくない操作者であっても整定の良否が判定可能な発明として有用である。
【符号の説明】
【００５８】
１  保護継電装置
３  整定値設定部
４  整定値入力部
５  記憶部
６  被保護機器の特性データ（被保護機器の特性）
７  整定検討後データ
８  表示器
９ａ  現整定値
９ｂ  リレー特性関数（リレー要素の特性）
１０  新整定値
１１ａ  第１の描画データ
１１ｂ  第２の描画データ
１２  リレー要素指定部
１３  整定値修正部
１５  新整定値出力部
１６  特性データ生成部
１７  描画データ生成部
２１  タンク強度限界特性
２２  突入電流特性
２３ａ，２３ｂ  新整定値のグラフ
２４ａ，２４ｂ  現整定値のグラフ
２５，２６，２７  新整定値入力欄
３０  整定値設定装置
４０  リレー要素の特性データ
４１  整定値データ
４２  新整定値データ
４３  整定値表示データ
４４  新整定値表示データ
５１Ｈ  過電流リレーの定限時特性
５１Ｌ  過電流リレーの反限時特性
【図１】
0005465020.tif 000002
【図２】
0005465020.tif 000003
【図３】
0005465020.tif 000004
【図４】
0005465020.tif 000005
【図５】
0005465020.tif 000006
【図６】
0005465020.tif 000007
【図７】
0005465020.tif 000008